(57)【特許請求の範囲】
【請求項１】
相互に内部室を取り囲む関係にある基底部と、側壁構造部と、上壁部とを有する容器であって、前記上壁部は中央開口部を有していて、当該中央開口部を介して前記内部室と通じ且つ該内部室を露出させる構成である当該容器と、
前記内部室内に収められ、イソパラフイン混合物およびジエチレングリコ−ルを含む燃料と、
上部に燃焼室を残して前記内部室内全体に充填されていて、その全体において前記ジエチレングリコールを保有すると共に、その底部と前記基底部との間に前記イソパラフィン混合物を保持する繊維状物質と、
前記燃料に点火するための手段であって、前記繊維状物質の底部から上方に伸びて前記中央開口部を通る点火コ−ドを有し、且つ、毛細管作用によって前記イソパラフイン混合物を、当該イソパラフイン混合物の底部貯溜部から前記露出部まで汲み上げて、火炎による初期点火を受けさせ、以て、前記繊維状物質の前記上方露出面において前記ジエチレングリコ−ルに点火するように構成され且つ配置される点火手段
とを有することを特徴とする携帯式調理・加温缶。
【請求項２】
前記点火コ−ドを、前記繊維状物質の底部まで挿入すると共に前記繊維状物質の上面の上方に約６ミリ露出させた請求項１記載の携帯式調理・加温缶。
【請求項３】
前記イソパラフイン混合物が、前記基底部に隣接する前記繊維状物質内に収められて前記イソパラフイン混合物貯溜部を形成し、次いで加えられる一段と重質の燃料であるジエチレングリコ−ルによってその場所に保持され、
前記ジエチレングリコ−ルは、前記イソパラフイン混合物が自己の初期点火を目的として毛細管作用によって前記点火コ−ドの露出端まで移動することのみを許容する請求項２記載の携帯式調理・加温缶。
【請求項４】
大小２つの分割式プラグを有し、前記プラグの小さい方を取り外すことによって、加温器として適した温度の熱が得られ、
前記プラグ全体を取り外すことによって、調理器として適した温度の熱が得られるようにした請求項１記載の携帯式調理・加温缶。
【請求項５】
前記繊維状物質が、約８７1℃の物質分解温度を有する岩綿である請求項１記載の携帯式調理・加温缶。
【発明の詳細な説明】
【０００１】
【発明の属する技術分野】
本発明は、より安全な非引火性の液体燃料（例えば、ジエチレングリコ−ル）を燃焼させるのに適した携帯式調理・加温缶に関する。
【０００２】
【従来の技術】
携帯式燃料缶は、一般的に使用される加熱手段である。当該手段によって、特に食物（高温度）や、肉汁、ス−プおよびコ−ヒ−（中温度）に対して必要とされる加熱が行なわれる。これらのタイプのバ−ナ（燃焼器）が一般的に使用されるのは、ビュッフエ形式の宴会場や、キヤンプ、釣り、その他のアウトドア活動においてである。さらに、非常時、例えば、台風、竜巻、ブリザ−ド、その他の自然災害時においても使用される。
【０００３】
燈心タイプの製品は、高熱を発生することが出来ないのみならず、転倒させた場合には、燃えている燃料を流出させるという危険な状況を招来する。調理器タイプ（ゲル化アルコ−ル、すなわちステルノ：Ｓｔｅｒｎｏ）の場合、高熱を達成することはできるが、低温度の加熱でよい肉汁や、ス−プやコ−ヒ−などの食物を焦がしてしまう。その上、極めて危険でもある。というのは、もし転倒させた場合には、溶けたゲルが缶から自由に流出して火災を生じるからである。
【０００４】
ゲル化アルコ−ル製品の場合、缶内に深く燃焼炎が燃え下って行くので、缶自体を高温に加熱し、その結果、テ−ブルクロスや木製のテ−ブル面を発火させる。また、この場合、加熱効率も劣る。というのは、熱源が、加熱対象領域から常に遠ざかっていくからである。
【０００５】
上記ステルノタイプの燃焼器は、爆炎引火を生ずるが、当該爆炎引火は、加熱装置の極めて近くにいる使用者に危険を及ぼす可能性がある。上記の理由によって、上記燈心タイプの製品とゲル化アルコ−ル製品の双方と同様に便利であり、当該双方を安全に一つの缶内に収めた新規な調理・加温用のバ−ナ（燃焼装置）が強く望まれていた。
【０００６】
【発明が解決しようとする課題】
本発明は上記要請に応えるためになされたもので、無臭でクリ−ンな燃焼をして、メタノ−ル系ゲル化アルコ−ル燃料が燃焼する際に発生するような危険で致命的な蒸気や煙を排出することがない、携帯式調理・加温缶を提供することを課題とする。
【０００７】
【課題を解決するための手段】
本発明は、相互に内部室を取り囲む関係にある基底部と、側壁構造部と、上壁部とを有する容器であって、前記上壁部は中央開口部を有していて、当該中央開口部を介して前記内部室と通じ且つ該内部室を露出させる構成である当該容器と、前記内部室内に収められ、イソパラフイン混合物およびジエチレングリコ−ルを含む燃料と、上部に燃焼室を残して前記内部室内全体に充填されていて、その全体において前記ジエチレングリコールを保有すると共に、その底部と前記基底部との間に前記イソパラフィン混合物を保持する繊維状物質と、前記燃料に点火するための手段であって、前記繊維状物質の底部から上方に伸びて前記中央開口部を通る点火コ−ドを有し、且つ、毛細管作用によって前記イソパラフイン混合物を、当該イソパラフイン混合物の底部貯溜部から前記露出部まで汲み上げて、火炎による初期点火を受けさせ、以て、前記繊維状物質の前記上方露出面において前記ジエチレングリコ−ルに点火するように構成され且つ配置される点火手段とを有することを特徴とする携帯式調理・加温缶、を以て上記課題を解決した。
【０００８】
好ましくは、大小２つの分割式プラグを配備し、前記プラグの小さい方を取り外すことによって、加温器として適した温度の熱が得られ、前記プラグ全体を取り外すことによって、調理器として適した温度の熱が得られるようにする。
【０００９】
【発明の実施の形態】
本発明に係る携帯式調理・加温缶は容器を有し、前記容器は外部ケ−スを形成する。前記外部ケ−スは、基底部と、周囲の側壁構造部と、上壁部とを有する。前記上壁部は、中央開口部を有しており、前記中央開口部を通して、上記容器の内部室が外部と通じる。前記内部室内には、燃焼室を作るための、例えば約６ミリの高さの空間を上方リング部、すなわち上記上壁部から計って、前記内部室の上部に形成する。そして、前記上部を残して、繊維状物質が上記内部室内に充填される。上記燃焼室は、燃焼に際して、燃料が上記繊維状物質の上方面に移動するのを促進させ、それによって、燃料の安定した継続的な供給を可能にし、常に前記上方面において燃焼が行なわれることを可能にする。
【００１０】
上記内部室内に収められた燃料は、ジエチレングリコ−ルによって前記内部室の底の貯溜部に保持されるイソパラフイン混合物を有する。上記ジエチレングリコ−ルは、上記繊維状物質の総てのポケット、すなわち全空隙内に充填されて、安定したゲル状の固まりになる。このようにして、ジエチレングリコ−ルとイソパラフイン混合物の双方共に、上記内部室内で自由に移動できないように保持される。このことによって、上記缶がひっくり返されたり、または逆さにされた場合にも、上記中央開口部から燃料が零れたり漏れたりすることがない。
【００１１】
燃料の初期点火を容易にするために、点火コ−ドが設けられる。前記点火コ−ドは、容器の基底部から垂直に伸びて、その露出端部を、繊維状物質の上面の上方に、例えば約６ミリ程度突出させて上記中央開口部に通す。イソパラフイン混合物は、繊維状物質の低部に位置し、一段と重質のジエチレングリコ−ルによって当該底部に確実に保持され、移動を阻止される。但し、前記イソパラフイン混合物は、毛細管作用によって点火コ−ドを通り、繊維状物質の上方の前記コ−ドの露出端部まで移動することはできる。
【００１２】
イソパラフイン混合物は、発火点がジエチレングリコ−ルよりも低い。したがって、マッチまたはライタ−の火を点火コ−ドの露出端部に当てることによって、イソパラフイン混合物に点火することができる。点火後、３０乃至４５秒ほど燃焼を続けると、イソパラフイン混合物の当該燃焼によって充分な熱量が発生するので、繊維状物質の上面のジエチレングリコ−ルに着火する。ジエチレングリコ−ルが燃焼を始めると、一段と大きな炎が発生して一段と加熱能力が増大する。
【００１３】
繊維状物質の上部の空隙内の燃料が燃焼するにしたがって、真空効果が発生し、前記真空効果によって、繊維状物質の残りの部分の空隙内の燃料が、前記繊維状物質を介して上方に吸い上げられ、上記中央開口部に面する上方露出面に達する。引き続き火炎燃焼が継続するので、繊維状物質の上面へのジエチレングリコ−ルの供給は、燃料が無くなるまで継続する。
【００１４】
図１乃至図３に示される通り、本発明の対象は、一般的に参照符合１０で表示される携帯式調理・加温缶である。前記調理・加温缶１０は、容器２０を有する。容器２０は、基底部２２と側壁構造部２４とを有する。側壁構造部２４は、一体的に形成されて上方に伸びる。容器２０は、望ましくは、スチ−ル（鋼）または同様の材料から作られる。容器２０の製造に際して、望ましくは、基底部２２と円筒状の側壁構造部２４とを一体物として形成し、それによって、液体燃料漏れの原因となるシ−ム（継ぎ目）部や接合部を容器２０からなくす。
【００１５】
更に、容器２０は上壁部３０を有する。上壁部３０は、その中央に配置された円形の中央開口部３１を有する。前記中央開口部３１の周囲縁部は、突き出した畝部３２とされる。即ち、畝部３２は、中央開口部３１の周囲に伸びる。
【００１６】
基底部２２と、側壁構造部２４と、上壁部３０との三者は、容器２０の内部室４０を取り巻いて実質的に囲い込む。内部室４０に充填される繊維状物質４１は、望ましくは岩綿である。繊維状物質４１は、容器２０内に充填されるが、その際に、前記容器２０の上部に燃焼室４５を作るための、上方リング部、すなわち上壁部３０から計って約６ミリの高さの空間を、繊維状物質４１を充填しないまま残す。燃焼室４５は、燃焼に際して、燃料が繊維状物質４１の上面４４まで移動するのを促進させる。繊維状物質４１の固有の構造上の性質によって複数のポケット、すなわち間隙４２が、内部室４０全体に形成される。繊維状物質４１の上面４４は、中央開口部３１に通ずるように配置される。
【００１７】
繊維状物質４１に加えて、内部室４０は、更に、ジエチレングリコ−ルやイソパラフイン混合物４６などの液体燃料によっても充填される。イソパラフイン混合物４６は、内部室４０の底部に位置する。一方、ジエチレングリコ−ルは、繊維状物質４１全体のポケット、すなわち間隙４２内に収容されて、イソパラフイン混合物４６を内部室４０の上記底部に保持する。ジエチレングリコ−ルは、間隙４２内で繊維状物質４１にへばり付く傾向があり、前記傾向によって液体燃料の流れを規制するので、安定したゲル状物体、すなわち固まりになる。
【００１８】
点火コ−ド５０は、イソパラフイン混合物４６の貯溜する底部から伸び上がって、繊維状物質４１の上面４４から更に上方に約６ミリほど突き出て中央開口部３１を通る。点火コ−ド５０は、特別な構造を有し、毛細管作用によって自己の露出部５１まで、イソパラフイン混合物４６を送り出すことによって、燃料の初期点火を容易にする。従って、火が点火コ−ド５０の露出部５１に当てられると、イソパラフイン混合物４６の初期点火が達成される。
【００１９】
点火コ−ド５０の露出部５１における火炎燃焼によって発生した熱は、次いで、ジエチレングリコ−ル４８の着火を引き起こす。前記ジエチレングリコ−ル４８の着火は、中央開口部３１に隣接する上面４４近くのジエチレングリコ−ル４８において生ずる。
【００２０】
火炎が上面４４を横切って拡大し始めると、一段と多量の熱が発生し、それによって、真空状態に似た効果が発生し、前記真空効果によって、ジエチレングリコ−ルが上方に吸い上げられて、上方露出面４４近くの空になった間隙４２内に入る。このようにして、ジエチレングリコ−ルが全部消費されるまで、全燃焼期間を通じて、燃料の継続的な供給が上面４４において行なわれる。
【００２１】
本発明に係る缶は、ユニ−クな２個のプラグ６０、７０を有する。中央開口部３１を閉塞する全体プラグ６０が中央開口部３１から取り外されると、繊維状物質４１の上面４４と点火コ−ド５０が露出する。中央開口部３１は、直径が例えば約５１ミリである。前記直径の値は、こんろ鍋の上部を調理や加熱目的で、約９９度まで加熱する上で充分な大きさの燃焼領域を作り出すことができる値である。
【００２２】
全体プラグ６０は中央部に小開口部６１を有し、そこに小プラグ７０が嵌脱自在に嵌め付けられる。加温器として使用するためには、この小プラグ７０だけを取り外して小開口部６１を露出させればよい。小開口部６１は、直径が約３５ミリであり、点火がおこなわれると、こんろ鍋の上部において、温度範囲約８２乃至約８８℃に対応する熱量の発生を可能にする。
【００２３】
【発明の効果】
本発明に係る携帯式調理・加温缶は、内部に液体燃料を保持するための特別な構造を有しており、前記構造により、上記缶がひっくり返されたり、または逆さにされた場合でも、前記缶から上記液体燃料を零したり又は漏らしたりしない効果がある。
【００２４】
本発明に係る調理・加温缶を調理缶として用いる場合、安定した燃焼炎を、少なくとも４時間に渡って継続させ、そして調理に必要な温度を提供することができ、加温缶としての利用も可能で、その際には、小さな中央プラグを調理缶から外せば、食物を温めて置くのに適した温度を得ることができる効果がある。
【００２５】
本発明に係る携帯式調理・加温缶の有する燃料は約１１６℃を超える引火点を有するので、本発明の携帯式調理・加温缶は引火性製品ではなく、航空便での輸送が可能な可燃性製品としての取り扱いが可能となり、可燃性製品は、引火性ゲル化アルコ−ル製品と比べると輸送コストが一段と安価であり、その上、諸々の規制を受けることが一段と少ないというメリットがある。
【図面の簡単な説明】
【図１】本発明の携帯式調理・加温缶の斜視図である。
【図２】図１の携帯式調理・加温缶の断面図である。
【図３】本発明の携帯式調理・加温缶の平面図である。
【符号の説明】
２０  容器
２２  基底部
２４  側壁構造部
３０  上壁部
３１  中央開口部
３２  畝部
４０  内部室
４１  繊維状物質
４４  上面
４５  燃焼室
【図１】
0003556122.tif 000002
【図２】
0003556122.tif 000003
【図３】
0003556122.tif 000004